(57)【要約】【課題】バイアス電圧が印加される電極層と、放射線の照射を受けて放射線画像を検出する放射線画像検出層と、基板とが積層された放射線画像検出器であって、電極層にバイアス電圧を供給する配線を備えた放射線画像検出器において、電極層と配線との接続性を向上させる。【解決手段】配線２１を平板形状とし、配線２１と電極層１１との接続面積を大きくする。【選択図】図１
2007317928.tif 000002
【特許請求の範囲】
【請求項１】
バイアス電圧が印加される電極層と、放射線の照射を受けて放射線画像を検出する放射線画像検出層と、基板とが積層された放射線画像検出器であって、前記電極層にバイアス電圧を供給する配線を備えた放射線画像検出器において、
前記配線が平板形状であることを特徴とする放射線画像検出器。
【請求項２】
前記配線が前記基板上に設けられるものであり、
前記基板から前記配線までの高さと前記放射線画像検出層および前記電極層の厚さとが略等しくなるように前記配線が被覆されていることを特徴とする請求項１記載の放射線画像検出器。
【請求項３】
前記電極層と前記配線との接続部分が線状であることを特徴とする請求項１または２記載の放射線画像検出器。
【請求項４】
前記配線の前記電極層との接続部分に線状の穴が設けられており、
該穴に導電性部材を充填することによって前記配線と前記電極層とが接続されることを特徴とする請求項３記載の放射線画像検出器。
【請求項５】
前記配線の基板側の被覆の表面に接着部材が設けられていることを特徴とする請求項１から４いずれか１項記載の放射線画像検出器。
【発明の詳細な説明】
【技術分野】
【０００１】
本発明は、バイアス電圧が印加される電極層と、放射線の照射を受けて放射線画像を検出する放射線画像検出層と、基板とが積層された放射線画像検出器であって、前記電極層にバイアス電圧を供給する配線を備えた放射線画像検出器に関するものである。
【背景技術】
【０００２】
従来、医療分野などにおいて、被写体を透過した放射線の照射を受けて電荷を発生し、その電荷を蓄積することにより被写体に関する放射線画像を記録する放射線画像検出器が各種提案、実用化されている。
【０００３】
そして、上記のような放射線画像検出器としては、たとえば、特許文献１には、放射線を透過する第１の電極層、放射線の照射を受けることにより電荷を発生する記録用光導電層、潜像電荷に対しては絶縁体として作用し、かつ潜像電荷と逆極性の輸送電荷に対しては導電体として作用する電荷輸送層、読取光の照射を受けることにより電荷を発生する読取用光導電層、および読取光を透過する線状に延びる透明線状電極と読取光を遮光する線状に延びる遮光線状電極とが平行に交互に配列された第２の電極層をこの順に積層してなる放射線画像検出器が提案されている。
【０００４】
ここで、上記のような放射線画像検出器に放射線画像を記録する際には、第１の電極層に高圧のバイアス電圧が印加される。
【０００５】
そして、上記のような高圧のバイアス電圧を第１の電極層に供給する配線部材としては、従来は、銅などの金属寄り線を絶縁材でコートした円柱形状ものが用いられ、その配線部材の先端の絶縁材を除去して第１の電極層に導電性ペーストによって接続するようにしていた。
【０００６】
【特許文献１】特開２０００−２８４０５６号公報
【発明の開示】
【発明が解決しようとする課題】
【０００７】
しかしながら、従来の配線部材は、上記のように円柱形状をしているため、放射線画像検出器の基板に接着材などで接着しても安定保持が完全でなく、また、温度変化や引っ張りなどによって変形し、第１の電極層との接続が不良になる場合があった。また、配線部材の太さが放射線画像検出器本体の厚さよりも大きく、配線部材だけが大きく飛び出すような形状になり、その分余分な空間ができてしまいシステム設計上適切ではなかった。
【０００８】
本発明は、上記事情に鑑み、上記のような接続不良を生じることなく、省スペース化を図ることができる放射線画像検出器を提供することを目的とするものである。
【課題を解決するための手段】
【０００９】
本発明の放射線画像検出器は、バイアス電圧が印加される電極層と、放射線の照射を受けて放射線画像を検出する放射線画像検出層と、基板とが積層された放射線画像検出器であって、電極層にバイアス電圧を供給する配線を備えた放射線画像検出器において、配線が平板形状であることを特徴とする。
【００１０】
また、上記本発明の放射線画像検出器においては、配線を基板上に設けるものとし、基板から配線までの高さと放射線画像検出層および電極層の厚さとが略等しくなるように配線を被覆するようにすることができる。
【００１１】
また、電極層と配線との接続部分を線状にすることができる。
【００１２】
また、配線の電極層との接続部分に線状の穴を設け、その穴に導電性部材を充填することによって配線と電極層とを接続するようにすることができる。
【００１３】
また、配線の基板側の被覆の表面に接着部材を設けるようにすることができる。
【発明の効果】
【００１４】
本発明の放射線画像検出器によれば、電極層にバイアス電圧を供給する配線を平板形状としたので、電極層との接続面積を大きくすることができ、上記のような接続不良を抑制することができるとともに、省スペース化を図ることができる。
【００１５】
また、上記本発明の放射線画像検出器において、配線を基板上に設け、基板から配線までの高さと放射線画像検出層および電極層の厚さとが略等しくなるように配線を被覆するようにした場合には、応力変化をより少なくすることができるので、配線と電極層との接続性をより向上させることができる。
【００１６】
また、配線の電極層との接続部分に線状の穴を設け、その穴に導電性部材を充填することによって配線と電極層とを接続するようにした場合には、導電性部材が設けられる領域を小さくすることができるので、その分、放射線画像検出器の検出領域を広くすることができる。
【００１７】
また、配線の基板側の被覆の表面に接着部材を設けるようにした場合には、より簡易に配線を基板に接続することができる。
【発明を実施するための最良の形態】
【００１８】
以下、図面を参照して本発明の放射線画像検出器の一実施形態について説明する。図１は本放射線画像検出器の一部断面図である。
【００１９】
本放射線画像検出器は、放射線画像検出器本体１０と放射線画像検出器本体１０にバイアス電圧を供給する配線基板２０とを備えている。
【００２０】
配線基板２０の上面図を図２（Ａ）に下面図を図２（Ｂ）に断面図を図２（Ｃ）に示す。配線基板２０は、図１および図２に示すように、平板形状からなる配線２１と、その配線２１の上面を被覆する上面側被覆層２２と、配線２１の下面を被覆する下面側被覆層２３とから構成されている。配線２１は銅から形成されており、上面側被覆層２２と下面側被覆層２３とはポリイミドから形成されている。
【００２１】
そして、配線基板２０の下面側被覆層２３は、その厚さｄが、後述する放射線画像検出器本体１０の第１の電極層１１から第２の電極層１５までの厚さと略等しくなるように形成されている。
【００２２】
また、配線基板２０の一端側には、図２に示すように線状の穴Ｈが形成されている。そそして、この穴Ｈには図２（Ｃ）に示すように貫通孔メッキが施されている。
【００２３】
そして、配線基板２０は、図１に示すように、放射線画像検出器本体１０のガラス基板１６上に接着部材２４を介して設置される。
【００２４】
なお、接着部材２４は、たとえば、両面テープのようなものであり、予め配線基板２０の下面側被覆層２３の表面に設けられているものである。
【００２５】
そして、配線基板２０の線状の穴Ｈに導電性ペースト３０が充填されることによって放射線画像検出器本体１０の第１の電極層１１と配線基板２０とが接続される。
【００２６】
そして、導電性ペースト３０の上にさらに保護部材４０が設けられる。
【００２７】
本放射線画像検出器においては、配線２１を平板形状としたので、第１の電極層１１との接続面積を大きくすることができ、接続不良を抑制することができるとともに、省スペース化を図ることができる。
【００２８】
また、上記のように穴Ｈに導電性ペースト３０を充填することによって配線２１と第１の電極層１１とを接続するようにしたので、導電性ペースト３０が設けられる領域を小さくすることができ、その分、放射線画像検出器の検出領域を広くすることができる。
【００２９】
本放射線画像検出器においては、上記のように下面側被覆層２３の厚さｄが放射線画像検出器本体１０の第１の電極層１１から第２の電極層１５までの厚さと略等しくなるようにしたので、ガラス基板１６から配線２１までの高さと放射線画像検出器本体１０の第１の電極層１１から第２の電極層１５までの厚さとが略等しくなる。したがって、配線２１の応力変化をより少なくすることができるので、配線と電極との接続性をより向上させることができる。
【００３０】
放射線画像検出器本体１０は、図１に示すように、バイアス電圧が印加されるとともに、放射線画像を担持した放射線を透過する第１の電極層１１、第１の電極層１１を透過した放射線の照射を受けることにより電荷を発生する記録用光導電層１２、記録用光導電層１２において発生した電荷のうち一方の極性の電荷に対しては絶縁体として作用し、且つ他方の極性の電荷に対しては導電体として作用する電荷輸送層１３、読取光の照射を受けることにより電荷を発生する読取用光導電層１４、読取光を透過して読取用光導電層において電荷を発生させる線状の電荷発生電極１５ａと読取光を遮光して読取用光導電層において電荷を発生させない線状の電荷非発生電極１５ｂとが交互に多数配列された第２の電極層１５、およびガラス基板１６をこの順に積層してなるものである。記録用光導電層２と電荷輸送層３との間には、記録用光導電層２内で発生した電荷を蓄積する蓄電部が形成される。
【００３１】
また、放射線画像検出器本体の層構成は上記実施形態のような層構成に限らずその他の層を加えたりしてもよい。
【００３２】
また、上記実施形態の放射線画像検出器においては、いわゆる光読取り方式の放射線画像検出器本体を用いるようにしたが、いわゆるＴＦＴ読取り方式の放射線画像検出器本体を用いるようにしてもよい。
【図面の簡単な説明】
【００３３】
【図１】本発明の放射線画像検出器の一実施形態の概略構成図
【図２】（Ａ）配線基板の上面図、（Ｂ）配線基板の下面図、（Ｃ）配線基板の断面図
【符号の説明】
【００３４】
１０  放射線画像検出器本体
１１    第１の電極層
１２    記録用光導電層
１３    電荷輸送層
１４    読取用光導電層
１５    第２の電極層
１６    ガラス基板
２０    配線基板
２１    配線
２２    上面側被覆層
２３    下面側被覆層
２４    接着部材
【図１】
2007317928.tif 000003
【図２】
2007317928.tif 000004